(57)【要約】【課題】屋外に面した出入口の閉鎖作業及び開放作業を容易かつ短時間で行うことができ、急激に増加する浸水による被害を防ぎ得る止水装置を提案する。【解決手段】出入口Ａの一側の床面Ｂ下に収納穴４が形成され、付勢手段により巻回する止水シート１０を内蔵するシート筒体２が、該収納穴４に収容される収納位置から引き上げられて床面Ｂ上に起立される立設位置に位置決めされて、該シート筒体２に設けられたシート引出口４７から止水シート１０が引き出され、該止水シート１０の開放端部に固着されたフック１１を、出入口Ａの他側の側壁Ｄに設けられた係合保持部材に係合することにより、出入口Ａを閉鎖して水の流入を防ぐようにしたものである。この止水装置１は、止水シート１０により出入口Ａを閉鎖する作業と開放する作業を容易かつ短時間で実行でき、大雨等の発生に対する迅速な対応が可能である。【選択図】図３
2007231574.tif 000002
【特許請求の範囲】
【請求項１】
屋外に面した建造物の出入口の一側の床面下に設けられた、上方開口された収納穴と、
上下方向のシート引出口を備える上下方向に長いシート保管筒柱と、シート保管筒柱に巻回状態で内蔵されて、その開放端部がシート引出口から引き出され、かつ付勢手段により巻回方向へ付勢される止水シートと、該止水シートの開放端部に固着され、付勢手段による巻回方向への付勢によってシート保管筒柱のシート引出口外周縁に係止されるフックとを備えてなり、前記収納穴に収容される収納位置と、該収納穴の上方へ引き出されて床面上に起立保持される立設位置とに位置決めされるシート筒体と、
出入口の他側の側壁に設けられ、止水シートに設けられたフックと係合する係合保持部材と
を備えていることを特徴とする止水装置。
【請求項２】
屋外に面した建造物の出入口の一側の床面下に埋設された収納筒体を備え、該収納筒体の筒内部を収納穴としたことを特徴とする請求項１に記載の止水装置。
【請求項３】
シート筒体のシート保管筒柱が、その上端に、収納位置で収納穴を閉鎖する蓋部を備えていることを特徴とする請求項１又は請求項２に記載の止水装置。
【発明の詳細な説明】
【技術分野】
【０００１】
本発明は、店舗、ビル、住宅、駐車場、地下通路等の建造物の、屋外に面した出入口に配設されるものであり、集中豪雨などが発生した場合に、該出入口から浸水することを防ぐための止水装置に関する。
【背景技術】
【０００２】
例えば、集中豪雨により大量の雨水や河川の増水が生じた場合、建造物内への浸水によって多大な被害が発生する。このため、屋外に面した建造物の出入口を閉鎖する止水扉や止水板を備えた止水装置が提案されており、該止水装置の配設箇所が増加してきている。この止水装置は、出入口に土嚢を積み上げて該出入口からの浸水を防ぐ作業に比して、少人数かつ短時間で止水扉（又は止水板）により出入口を閉鎖できるという利点を有している。
【０００３】
止水装置として、例えば特許文献１のように、出入口の両側壁間に主支柱を設け、側壁に形成された上下方向の溝と、該溝と対向する主支柱の両側に夫々形成された溝とに上方から差し込まれた止水板により、出入口を閉鎖して浸水を防ぐようにした構成が提案されている。ここで、止水板は、平時には排水溝の溝蓋として配置されており、上記した集中豪雨時に、排水溝から外して使用されるようになっている。
【特許文献１】特開２００４−１６２２６０号公報
【発明の開示】
【発明が解決しようとする課題】
【０００４】
ところで、止水装置の止水扉や止水板は、出入口を閉鎖した場合に雨水や増水等による水の流入をほぼ完全に防止できるように、これらの水圧に充分に耐え得る頑丈なアルミニウム合金やスチール等の金属板材から形成されている。このため、止水扉や止水板の重量は比較的重いことから、出入口を閉鎖する作業や出入口の閉鎖を解除する開放作業に手間が掛かる。さらに、これら作業時に指を挟む等の事故が発生しないようにする手段を要する。また、集中豪雨時に出入口から流入する水の量は、一般的に比較的短時間で急激に増加する。このため、初期の浸水を防ぐためには、比較的早い時点から作業を開始する等の迅速な対応が求められる。しかし、前記のように閉鎖及び開放作業に手間がかかることから、出入口を閉鎖することが必要な浸水が生じるか否かを考慮した上で、閉鎖作業の開始を判断することとなる。このため、もし仮に作業開始が遅れると、初期の過多の浸水を防げずに被害が発生し、さらに、出入口に流入する水に対抗して閉鎖作業を行わねばならず、作業性が更に悪化してしまう。
【０００５】
本発明は、上記問題を解決し、出入口を閉鎖する作業と閉鎖状態から開放する作業とを、従来に比して容易に行い得る止水装置を提案するものである。
【課題を解決するための手段】
【０００６】
本発明は、屋外に面した建造物の出入口の一側の床面下に設けられた、上方開口された収納穴と、上下方向のシート引出口を備える上下方向に長いシート保管筒柱と、シート保管筒柱に巻回状態で内蔵されて、その開放端部がシート引出口から引き出され、かつ付勢手段により巻回方向へ付勢される止水シートと、該止水シートの開放端部に固着され、付勢手段による巻回方向への付勢によってシート保管筒柱のシート引出口外周縁に係止されるフックとを備えてなり、前記収納穴に収容される収納位置と、該収納穴の上方へ引き出されて床面上に起立保持される立設位置とに位置決めされるシート筒体と、出入口の他側の側壁に設けられ、止水シートに設けられたフックと係合する係合保持部材とを備えていることを特徴とする止水装置である。ここで、シート保管筒柱は、円筒形、角筒形のいずれであっても良い。
【０００７】
かかる構成の止水装置にあっては、収納穴に収容されて収納位置に在るシート筒体を、上方へ引き上げて立設位置に位置決めした後、フックを引張ることにより止水シートをシート保管筒柱から引き出して、該フックを係合保持部材と係合することによって、出入口の閉鎖作業を行い得るものである。また、この閉鎖状態を解除して出入口を開放する作業は、前記の閉鎖作業の逆順序で行い得る。このように、本発明は、上述した従来構成に比して、出入口を閉鎖する作業及び開放する作業を容易かつ短時間で実行でき、作業自体が簡単なものである。このため、出入口を閉鎖したものの、浸水するような大量の水が発生しなかった場合にも、閉鎖及び開放作業を行ったことによる煩わしさがほとんどない。したがって、大雨が降り出した場合に、出入口から浸水が生じるか否かを比較的簡単に判断して、迅速に閉鎖作業を開始できることから、急激に増加した水量による初期の浸水をも確実に抑止でき得る。
【０００８】
また、平時には、シート筒体が床面下の収納穴に収納されることから、上記従来構成に比して収納場所も狭く、かつ別の場所に設ける必要もない。また、当然ながら、出入口の通行を妨げないという利点もある。
【０００９】
一方、集中豪雨等により生じる水量は、上述したように短時間に激増することから、この激増した水量が建造物内に過多に流入することを防ぐことができれば、浸水による被害を最小限に抑えることができる。すなわち、建造物内に流入した水量が、この建造物に配設されている排水設備の処理能力で対処可能な範囲であれば、被害はほとんど発生しない。以上のことから、本発明は、出入口を閉鎖した止水シートが、出入口から流入する水を完全に防止できなくとも良いという観点から提案されたものである。そして、上記したように、迅速に対応して出入口を閉鎖できるものであることを必須とし、これにより、急激に増加する水量の大部分を防ぐことができるようにしている。このように、本発明の構成は、主として、集中豪雨等による被害を、確実かつ適切に抑止できるものとなっている。
【００１０】
本構成の止水シートとしては、可撓性を有し、かつ水を透過しない不透水性を有する材料からなるものとする。さらに、出入口を閉鎖した状態で、水の流水圧に耐する強度を有する材料とする。また、止水シートを、出入口を閉鎖した状態で、流水圧に対して撓み難い剛性を発揮できるようにすることが好ましい。この止水シートの材料として、例えば、アルミニウム合金やスチール等の金属フィルム（極薄板）、金属フィルムや樹脂フィルムと織物布とが積層された複合材料などを用い得る。また、出入口を閉鎖した状態で、止水シートが撓み難い形態で保持されるように、付勢手段の付勢力が比較的強く設定された構成や、止水シートの全長が、シート筒体と係合保持部材との間隔とほぼ同じである構成等も好適に用い得る。
【００１１】
また、本構成の止水シートを付勢する付勢手段としては、シート保管筒柱の長手方向に沿って回動可能に軸支され、止水シートの後端部が固定される巻取りドラムと、該巻取りドラムを、止水シートを巻き取る方向へ回動させるゼンマイバネとから構成されているものが好適に用い得る。この構成では、止水シートが、その上下方向の幅全域でほぼ均一に付勢されることとなる。これにより、止水シートは、シート引出口から引き出す方向に力が作用していなければ、巻取りドラムに巻き取られてシート保管筒柱に内蔵された状態で保持される。したがって、止水シートが出入口を閉鎖している状態で、フックが係合保持部材との係合を解除されると、直ちに巻取りドラムに巻き取られることから、出入口を開放した状態に戻す作業も容易となる。
【００１２】
また、出入口の他側の側壁に設けられた係合保持部材としては、止水シートの開放端部に設けられたフックを係止するための係止穴や係止杆を側壁に配設してなる構成が好適に用い得る。さらに、フック及び係合保持部材とは、係合した状態で、他側の側壁と止水シートとの間に隙間が生じないようにした構成とすることが好ましい。ここで、例えば、止水シートの開放端部や他側の側壁に、弾性変形する止水パッキンを配設し、止水シートと側壁とが密着するようにした構成を用いることができる。
【００１３】
一方、止水装置にあって、上記した止水シートと係合保持部材との隙間、シート筒体と一側の側壁との隙間、止水シートと床面との隙間については、該隙間が大きければ水の流入が容易となり、止水作用が低下する。また、これら各隙間がほぼ完全に埋まると、止水シートにかかる水圧が相対的に大きくなり、止水シートの強度や剛性を一層高める必要性が生ずる。本発明にあっては、上述したように、水が過多に流入することを防ぎ得るものであるから、前記隙間を完全に埋めることを要しない。すなわち、各隙間をできるだけ小さくすると共に、該隙間から水が流入し難い構成とすることが好適である。例えば、出入口の両側壁に上下方向の溝が夫々形成され、各溝内にシート筒体と係合保持部材とが配された構成とする。この構成では、両側の隙間から水が流入し難くなり、過多な水の流入を防ぐことができる。また、出入口の床面に幅方向の溝が形成され、該溝内に止水シートの下端部が収まる構成とすることにより、床面と止水シートとの間から水の過多な流入を防ぐことができる。
【００１４】
上述した止水装置にあって、屋外に面した建造物の出入口の一側の床面下に埋設された収納筒体を備え、該収納筒体の筒内部を収納穴とした構成が提案される。ここで、収納筒体としては、シート保管筒柱を収容可能とするように、該シート保管筒柱の形状（円筒形や角筒形）に応じて、円筒形や角筒形のいずれにも設定できる。
【００１５】
かかる構成にあっては、シート筒体を収容する収納筒体を製造し、この収納筒体を床面下に埋設することによって、収納穴を形成できるようにしたものである。したがって、シート筒体の寸法形状が出入口の大きさに応じて異なる場合にも、該シート筒体に対応する収納筒体を製造して配設するだけで、収納穴を形成できる。また、シート筒体と収容筒体とを一つのユニットとして設計及び製造することによって、止水装置の生産や付設作業を効率化できる。
【００１６】
尚、シート筒体と収納筒体とには、該シート筒体を立設位置と収納位置とに位置決めする筒体支持手段が設けられた構成を好適に用い得る。この筒体支持手段としては、シート保持筒柱の下部を収納穴の開口部に固定して立設位置に起立保持し、この固定を解除して収納位置へ変換可能とするものである。ここで筒体支持手段として、例えば、シート保持筒柱の下端部に係止突片が突成されると共に、収納筒体の口部内周面に、下方へ開口されて係止突片が挿入される案内溝路と、該案内溝路の上端部で側方へ連続して、係止突片の上下移動を拘束する連成溝部とからなる係止溝が形成されている構成が提案される。この構成では、シート筒体を収納位置から引き上げ操作することにより、係止突片が案内溝路内に挿入され、該シート筒体を周方向へ回動操作することにより、係止突片が連成溝部で係止されて、シート筒体が立設位置で起立保持されることとなる。また、この構成に、係止突片が連成溝部で係止された状態で安定して保持できるように、施錠手段を設けることもできる。一方、筒体支持手段としては、前記構成だけでなく、シート保持筒柱の下部に貫通孔が設けられ、該貫通孔を収納筒体の口部上に位置して該貫通孔に係止杆を嵌入することにより立設位置で保持するようにした構成等、他の構成も用い得る。
【００１７】
上述した止水装置にあって、シート筒体のシート保管筒柱が、その上端に、収納位置で収納穴を閉鎖する蓋部を備えている構成が提案される。
【００１８】
シート筒体が収納位置に在る場合に、収納穴が開口した状態であると、出入口を通過する人や車が収納穴に引っ掛かる等して該通行を阻害する要因ともなり得る。かかる構成は、この通行を阻害する要因を生じないように、シート保管筒柱に蓋部を設けたものである。この構成により、シート筒体が収納位置に在る場合に、雨水等が収納穴に溜まることも防止できる。また、シート保管筒柱に内蔵される止水シートや付勢手段等に水分や埃が直接付着することを防止でき、このシート筒体から止水シートを引き出す作業や巻き取る作動とを、比較的長期に適正に行い得るものとしている。
【００１９】
ここで、シート保管筒柱は、蓋部が、その上面を収納位置で床面とほぼ面一となるものである構成が好ましい。これにより、上記した通行の阻害とならないという作用効果が一層高まる。
【発明の効果】
【００２０】
本発明は上述したように、屋外に面した出入口の一側の床面下に形成された収納穴と、開放端部にフックが固着された止水シートを巻回方向に付勢してシート保管筒体に内蔵し、収納穴に収容された収納位置と床面上に起立する立設位置とに位置決めされるシート筒体と、出入口の他側の側壁に設けられた係合保持部材とを備えてなり、シート筒体を立設位置とし、止水シートをシート保管筒体のシート引出口から引き出して、フックを係合保持部材に係合することにより、止水シートで出入口を閉鎖するようにしたものであるから、止水シートにより出入口を閉鎖すれば、この出入口からの水の過多な流入を防ぐことができる。また、止水シートで出入口を閉鎖する作業及びこの閉鎖を解除して開放する作業を、比較的容易かつ短時間で行い得る。このため、大雨に対して迅速に対応して閉鎖作業を実行でき、集中豪雨による浸水被害を、その発生初期から確実かつ充分に防ぎ得る。さらに、平時には、シート筒体が収納筒体に収納保持され、出入口の通行を妨げない。
【００２１】
また、屋外に面した建造物の出入口の一側の床面下に埋設された収納筒体を備え、該収納筒体の筒内部を収納穴とした構成にあっては、シート筒体の寸法形状に対応する収納筒体を用いることにより、収納穴を容易に形成できる。さらに、シート筒体と収容筒体とを一つのユニットとして設計及び製造することによって、止水装置の生産や付設作業を効率化できる。
【００２２】
また、シート筒体のシート保管筒柱が、その上端に、収納位置で収納穴を閉鎖する蓋部を備えている構成にあっては、平時に、収納穴が出入口の通行を阻害しないようにしている。
【発明を実施するための最良の形態】
【００２３】
本発明にかかる実施例を添付図面を用いて詳述する。
本実施例の止水装置１は、図１〜図３のように、屋外に面した建造物の出入口Ａに配設されている。この止水装置１は、出入口Ａの一側の床面Ｂに埋蔵された収納筒体３と、該収納筒体３に内蔵されるシート筒体２とを備えてなる。このシート筒体２は、図１及び図３（ａ）のように、収納筒体３に収容される収納位置と、図２及び図３（ｂ）のように、収納位置から引き出されて床面Ｂ上に起立保持される立設位置とに位置決めされるものである。ここで、床面下に埋設される収納筒体３は、その筒内部が収納穴４として構成されたものである。すなわち、シート筒体２が収納筒体３に収容された収納位置は、該シート筒体２が収納穴４に収容された状態である。
【００２４】
上記した出入口Ａの一側の側壁Ｃには、上下方向に壁溝７が形成されている。そして、床面Ｂの壁溝７に囲まれた場所に収納筒体３が埋設されており、立設位置としたシート筒体２の壁側部分が壁溝７により出入口Ａの正面から隠れるようになっている。
【００２５】
また、出入口Ａの床面には、両側の側壁Ｃ，Ｄ間を横断するように横断溝６が形成されている。横断溝６は、一端が、上記した収納筒体３の上部と連通しており、他端が側壁Ｄまで達している。この横断溝６は、後述する止水シート１０の下端部を挿通可能とするように設けられており、その溝幅を狭くしている。
【００２６】
上記したシート筒体２は、上下方向に長尺状とした円筒形のシート保管筒柱２０と、該シート保管筒柱２０に内蔵される止水シート１０と、止水シート１０の開放端部（先端部）に固着されたフック１１とから構成されている。
【００２７】
シート保管筒柱２０は、長手方向に亘ってほぼ同一径寸法の保管筒部２１と、該保管筒部２１の上端に接合された円盤形状の蓋部２２とから構成されている。この蓋部２２は、保管筒部２１に比して大きい径寸法に形成されており、その上面に、シート保管筒柱２０を昇降移動操作するための取手（図示省略）が配設されている。尚、この取手は、常態で、蓋部２２の上面に形成された溝内に配され、上方へ引き出されることにより、作業者が取手を把持して昇降移動操作を行い易いようにしたものである。
【００２８】
シート保管筒柱２０の保管筒部２１の下部には、図４，図５のように、径方向へ差し渡された連係杆２３が、両端を保管筒部２１を貫通して外方へ突出するように配設されており、この連係杆２３の突出した両端部により係止突片２４，２４を形成している。
【００２９】
さらに、保管筒部２１の下部には、図４のように、施錠片２６と、該施錠片２６を傾斜位置と垂下位置とに変換する施錠機構とからなる施錠装置２５も配設されている。この施錠片２６は、下端に係止爪２７が形成され、上端を回転軸２８の端部に形成した小径突部２９に外嵌して、該端部に固定されている。
【００３０】
この回転軸２８は、保管筒部２１内の連係杆２３の下方で、該保管筒部２１に固着された装架板４０に保持されている。この装架板４０には、保持円筒３０が連係杆２３に対して平行に偏位して固着されており（図５参照）、該保持円筒３０内に回転軸２８が回転可能に挿入されている。回転軸２８は、一端の小径突部２９が保持円筒３０の内方開口から突出し、上記したように、小径突部２９に施錠片２６が外嵌されている。一方、回転軸２８の他端には、第一ギア３１が固結されており、該第一ギア３１は保持円筒３０の外方開口から突出している。この第一ギア３１の上方には、第二ギア３２が固結されたキー軸３３が、キー保持筒３４内に回転可能に挿入されて、該キー保持筒３４に支持されている。このキー保持筒３４は、シート保管筒柱２０の内周面に固着されており、内方の一端から前記した第二ギア３２が突出している。そして、キー軸３３の他端面には、キー溝３５が形成されており、該キー溝３５を、シート保管筒柱２０の側面に形成した操作孔（図示省略）から外方へ露出させている。ここで、第一ギア３１と第二ギア３２とは、上下方向で平行に配置されており、両者を回転ベルト３６により連絡し、該回転ベルト３６によって、第二ギア３２の回動を第一ギア３１に伝えることができるようになっている（図５参照）。すなわち、キー溝３５に所定の操作キー（図示省略）を挿入して回動することにより、キー軸３３が回動し、第二ギア３２と回転ベルト３６と第一ギア３１とを介して、回転軸２８が回動する。そして、施錠片２６が回動するようになっている。
【００３１】
上記した装架板４０には、回転軸２８に形成された小径突部２９と対抗するように垂下片４１が垂設されており、該垂下片４１に、小径突部２９に先端が当接する突起片４２が支持されている。また、回転軸２８の小径突部２９に座板４３が外嵌されて、該座板４３が施錠片２６に当接されており、座板４３と垂下片４１との間にばね４４が介装されている。これにより、施錠片２６が、保持円筒３０の内方開口端に当接する位置に弾性保持されている。すなわち、前記突起片４２により回転軸２８の内方移動が拘束されると共に、ばね４４により施錠片２６が保持円筒３０に当接する位置に保持されている。これにより、回転軸２８及び施錠片２６の回動をガタツキなく円滑に行い得るようになっている。
【００３２】
また、上記したキー軸３３を回動可能に支持するキー保持筒３４には、施錠片２６の傾斜位置と垂下位置間の回転角度を規定する二つの保持孔（図示省略）が、該回転角度に対応するように形成されている。さらに、キー軸３３には、径方向に嵌挿穴（図示省略）が形成されており、該嵌挿穴内にばね（図示省略）と該ばねにより外方付勢された保持球（図示省略）とが装着されている。そして、キー軸３３の回動操作に従って、保持球がいずれかの保持孔に嵌るようにしており、一方の保持孔で嵌った位置で、施錠片２６を垂下位置とし、他方の保持孔で嵌った位置で、施錠片２６を傾斜位置となるようにしている。このような構成による節度作用により、キー軸３３の妄動を防止でき、キー軸３３が施錠片２６を傾斜位置と垂下位置とする二位置で安定的に保持される。
【００３３】
以上のように、回転軸２８やキー軸３３等により、施錠片２６を回動する施錠機構が構成されている。
【００３４】
さらに、シート保管筒柱２０の保管筒部２１の下部には、図５のように、施錠片２６の係止爪２７と対抗する位置に、該施錠片２６を傾斜位置とした場合に、係止爪２７が挿入される貫通孔４６が形成されている（図４参照）。ここで、施錠片２６が連係杆２３と平行に設けられた回転軸２８を回動中心として回動するように設けられていることから、貫通孔４６は、係止突片２４，２４に対して、周方向に約９０度の相対位置に設けられている。
【００３５】
このシート保管筒柱２０には、周方向の、上記した貫通孔４６から約１８０度の位置に、上下方向にシート引出口４７が形成されている（図６参照）。シート引出口４７は、上端を蓋部２２の直下位置とし、下端を、係止突片２４，２４とキー軸３３との間となる高さ位置として形成されている。尚、シート引出口４７の下端は、後述するように、シート筒体２が立設位置に在る場合に、床面Ｂより下方に位置する。
【００３６】
また、シート保管筒柱２０には、図４のように、保管筒部２１の上端部に天壁５０が固着されており、上記した連係杆２３の直上に底壁５１が固着されている。そして、保管筒部２１内には、該保管筒部２１の中心線に沿ってパイプ軸５３が配設されている。ここで、パイプ軸５３は、その上端を天壁５０に、下端を底壁５１に夫々固定螺子５４により連結されて、保管筒部２１内に支持されている。尚、底壁５１には、ベルト孔５５が形成されており、該ベルト孔５５を上記した回転ベルト３６が上下に貫通されている。
【００３７】
このパイプ軸５３の下端部には、上方を開口するバネ筐体５６が底壁５１に固定されて設けられており、該バネ筐体５６上に巻取りドラム５８がパイプ軸５３に回動可能に嵌装されている（図５，図６参照）。この巻取りドラム５８の下端部には、バネ筐体５６の上部開口から嵌挿され、該バネ筐体５６により回転可能に支持された回動支持盤５９が固着されている。この回動支持盤５９は、バネ筐体５６内に配設したゼンマイバネ５７により巻取り方向へ付勢されている。
【００３８】
上記した巻取りドラム５８の上端には、パイプ軸５３に外嵌された座板６０が当接されており、座板６０と天壁５０との間にばね６１が介装されている。このばね６１の付勢力により、巻取りドラム５８を下方へ弾性保持しており、巻取りドラム５８が上下方向にガタツキなく安定して回動するようになっている。
【００３９】
この巻取りドラム５８には、図６のように、外周に上下方向に沿って連結溝孔６２が形成されている。そして、連結溝孔６２に、後述する止水シート１０の後端部（開放端部と反対側の端部）に固着された嵌挿部７１が上方から嵌入され、止水シート１０の後端部が巻取りドラム５８に固着される。これにより、上記したゼンマイバネ５７（図５参照）の付勢力に従って、止水シート１０が巻取りドラム５８に巻き取られ、シート保管筒柱２０内に巻回保持されるようになっている。一方、止水シート１０の開放端部には、断面Ｕ形の金具からなるフック１１が固着されている。ここで、止水シート１０は、上記したシート保管筒柱２０に形成された上下方向のシート引出口４７を通過して、フック１１を設けた開放端部がシート保管筒柱２０外に配されるように、シート保管筒柱２０に配設されている。このフック１１は、止水シート１０が上述したゼンマイバネ５７の付勢力に従って巻取りドラム５８に巻き取られた場合に、シート引出口４７の外周縁に係止される。これにより、止水シート１０が、シート保管筒柱２０内に全て巻き取られてしまうことがない。そして、このフック１１を引張ることにより、上記したゼンマイバネ５７の付勢力に抗して、止水シート１０をシート保管筒柱２０内から引き出すことができる。
【００４０】
また、上記した止水シート１０にあっては、上述したように、巻取りドラム５８に巻き取り可能な適度な可撓性と、水を透過しない不透水性と、水圧に耐え得る強度とを有するものとしている。本実施例にあっては、アルミニウム合金の極薄の金属フィルム（図示省略）と、高分子繊維と金属繊維との織物布（図示省略）とを積層してなるものとしている。ここで、織物布は、全体的に目付を大きくすると共に、金属繊維の構成比を高めることにより、強度と剛性とを高めている。この止水シート１０は、シート保管筒柱２０から引き出した場合に、金属フィルムが屋外側となり、織物布が屋内側となるように、巻取りドラム５８に配されている。
【００４１】
一方、上述したシート筒体２を床面Ｂ下に収納可能な収納筒体３としては、図１，図２のように、有底状円筒体８０と、該円筒体８０の上部開口に連結されて、床面Ｂを開口する開口筒体８１とから構成されている。この有底状円筒体８０の内径は、シート筒体２が収納された場合に、シート保管筒柱２０のシート引出口４７から突出するフック１１を収容可能とする寸法となっている。また、開口筒体８１は、図４，図５のように、有底状円筒体８０の口部に内嵌される内嵌部８２と、該内嵌部８２の内径に比して大きな寸法の内径とした口筒部８３とから構成されている。ここで、開口筒体８１の口筒部８３には、床面Ｂに埋設された場合に、上記した床面Ｂの横断溝６と連通する側部開口８５が形成されている（図７参照）。さらに、開口筒体８１には、内嵌部８２の側面と口筒部８３の底面に、シート引出口４７に係止されているフック１１を挿通可能な挿通開口８４が形成されている（図７参照）。この挿通開口８４は、前記した側部開口８５の直下から、周方向へ所定角度幅広となる幅寸法により形成されている。
【００４２】
開口筒体８１の内嵌部８２は、シート保管筒柱２０の保管筒部２１を挿通可能として形成されており、また、口筒部８３は、上記したシート保管筒柱２０の蓋部２２を収納可能な寸法形状として形成されている。一方、シート保管筒柱２０の保管筒部２１には、上述したように、シート保管筒柱２０内に止水シート１０が巻回保持された状態で、シート引出口４７に係止したフック１１が収納される。以上のことから、シート筒体２が収納筒体３に収納されると、シート筒体２の上面が床面Ｂとほぼ面一な状態となる（図１参照）。また、側部開口８５は、止水シート１０の下端が通過可能な溝幅に形成されている。
【００４３】
上記した開口筒体８１の内嵌部８２には、図７のように、その周面に、下方へ開口する係止溝８８，８８が互いに対向し、かつ互いに反対向きとなるように（開口筒体８１の中心軸線に対して点対称状に）形成されている。この係止溝８８，８８は、シート筒体２を収納位置から上方へ引き上げた場合に、シート保管筒柱２０に配設された係止突片２４，２４が、下端開口から挿入されるものである。そして、係止溝８８は、その下端開口から上方へ延びる案内溝路８９と、該案内溝路８９の頂部と連続する鈎状の連係溝部９０とから構成されている。ここで、案内溝路８９は、裾拡がりの山形状をなし、開口縁となる裾部を導入縁９２としており、シート筒体２を収納位置から引き上げると、係止突片２４が導入縁９２の案内作用により、引き出しと共に、案内溝路８９内に導入されていく。
【００４４】
係止溝８８，８８は、その連係溝部９０，９０が、上記した側部開口８５に対して両側に夫々９０度離れた位置に形成されている。したがって、シート筒体２を収納筒体３から引き上げて、係止突片２４，２４を連係溝部９０，９０に配すると、シート保管筒柱２０のシート引出口４７が床面Ｂの横断溝６方向を向くこととなる。すなわち、この状態で、シート引出口４７が、出入口Ａの他側の側壁Ｄに対向した位置となる。
【００４５】
さらに、開口筒体８１の内嵌部８２には、上記した連係溝部９０，９０と９０度の相対角度位置に、施錠孔９１が形成されている。この施錠孔９１は、係止突片２４，２４が連係溝部９０，９０内に在る位置で、上記したシート保管筒柱２０の貫通孔４６と対抗する位置となる。すなわち、係止突片２４，２４を連係溝部９０，９０に導入し、上記したように、所定の操作キー（図示省略）による操作によって施錠片２６を垂下位置から傾斜位置へ回動することにより、該施錠片２６の係止爪２７が、貫通孔４６を貫通して施錠孔９１に係止される。これにより、シート筒体２は、立設位置で起立保持される。
【００４６】
上述した施錠装置２５や係止溝８８，８８等によって、シート筒体２を立設位置で収納筒体３に固定するための、いわゆる筒体支持手段を構成している。
【００４７】
一方、出入口Ａの他側の側壁Ｄには、図２のように、一側の側壁Ｃの壁溝７に対向するように上下方向に壁溝８が形成されている。そして、この壁溝８の奥面から上下方向に長尺な支持板９が突成されており、図８のように、該支持板９の横方向中央位置から屋内方向へ突出するように係止杆１６が固着されている。この係止杆１６には、上記した止水シート１０のフック１１が係止される（図６参照）。ここで、支持板９の下端部は、床面Ｂと隙間なく当接しており、また、支持板９の先端部は、屋内方向へ所定角度で屈曲しており、背面に弾性変形可能なパッキン（図示省略）が上下方向に亘って固着されている。これにより、止水シート１０のフック１１が係止杆１６に係止された場合に、支持板９と止水シート１０とが隙間なく当接し、水の侵入を防ぎ得るようになっている。
【００４８】
ここで、上記した係止杆１６、支持板９により、本発明にかかる係合保持部材が構成されている。
【００４９】
次に、この止水装置１の操作を説明する。
平時には、図１，図３（ａ）のように、シート筒体２が、内部に止水シート１０を巻回保持して、収納位置に保持されている。これにより、屋外に設けられた建造物の出入口Ａでは、止水装置１によって通行が妨げられない。ここで、シート保管筒柱２０の蓋部２２により、その上面が床面Ｂとほぼ面一となり、収納筒体３により構成される収納穴４が閉鎖されている。また、止水シート１０の先端に設けられたフック１１は、シート保管筒柱２０のシート取出口４７に係止されており、収納筒体３の有底状円筒体８０内に配されている。また、施錠片２６は垂下位置に存在する。
【００５０】
例えば、集中豪雨等が発生すると、出入口Ａを止水シート１０により閉鎖する作業を実行する。先ず、シート筒体２を、そのシート保管筒柱２０の蓋部２２に設けられている取手（図示省略）を使って、収納筒体３から引き上げる。
【００５１】
この引き上げる過程にあっては、フック１１が開口筒体８１の内嵌部８２に形成された挿通開口８４を挿通するようにして、シート筒体２を引き上げる。そして、シート筒体２の下部に突成された係止突片２４，２４が係止溝８８，８８の案内溝路８９内に案内される（図７参照）。この係止突片２４，２４が案内溝路８９の頂部に妨げられると、シート筒体２をこれ以上引き上げることができなくなり、周方向へ回動する。これにより、係止突片２４，２４が連係溝部９０，９０に配される。この後、所定の操作キー（図示省略）をキー溝３５に差し込み、回動操作することにより、施錠片２６が傾斜位置へ回動して、該施錠片２６の係止爪２７が、貫通孔４６を貫通して施錠孔９１に係止される。これにより、シート筒体２は、収納筒体３の上部に固定され、床面Ｂ上に起立した立設位置に保持される。ここで、所定の操作キー（図示省略）をキー溝３５から取り外すことにより、再び操作キーによる操作を行わない限り、施錠片２６と施錠孔９１との係合状態が解除できず、シート筒体２が立設位置に保持される（図２，図３（ｂ）参照）。尚、この立設位置では、シート筒体２のシート取出口４７が、出入口Ａの他側の側壁Ｄに設けられた壁溝８に対向した位置となっている。
【００５２】
シート筒体２を立設位置とした後、シート引出口４７の外周縁に係止されているフック１１を掴んで止水シート１０を引き出す。止水シート１０は、その下端部を横断溝６内としたまま引き出され、該横断溝６に沿って出入口Ａを閉鎖していく。尚、止水シート１０は、上述したように、ゼンマイバネ５７により巻取り方向に付勢されていることから、この付勢力に抗する力が作用することによって、シート保管筒柱２０から引き出される。
【００５３】
そして、フック１１を、出入口Ａの他側の側壁Ｄに設けられた係止杆１６に引っ掛けると、止水シート１０により出入口Ａが閉鎖されることとなる（図６参照）。この閉鎖状態にあっては、止水シート１０の先端と側壁Ｄとは、支持板９によってほとんど隙間なく閉じられており、水の流入を止める作用も高い。一方、シート筒体２と側壁Ｃとの間には、隙間が生じているため、水が流入することとなるが、該シート筒体２が壁溝７内に配置されていることから、水の流入をある程度妨げることができるようになっている。また、止水シート１０は、その下端が床面Ｂに形成された横断溝６内に配されているため、ここからの水の流入を妨げる作用も高い。
【００５４】
このように止水シート１０により出入口Ａが閉鎖された状態にあっては、図２，図３（ｂ）のように、出入口Ａがそのほぼ全体を閉鎖されていることから、集中豪雨により多量の水が出入口Ａに向かって流れてきても、止水シート１０により出入口Ａから過多の流量の水が侵入することを防ぎ得る。そして、出入口Ａから屋内に侵入した水は、屋内の排水処理機能によって対応可能なレベルに抑止され得ることから、浸水による被害を防ぎ得る。
【００５５】
さらに、止水シート１０が、金属製のフィルムと織物とを積層した構成であることから、適度な強度と剛性を有しており、該止水シート１０に水が衝突した場合にも、この衝撃により変形し難く、かつ破断することがない。さらに、止水シート１０は、閉鎖状態でもゼンマイバネ５７の付勢力によって巻取り方向へ引っ張られていることから、水圧により変形し難くなっている。したがって、短時間に急激に増加する水の圧力に対しても、充分に止水する作用効果を発揮し得る。
【００５６】
また、本実施例の止水装置１は、上述したように、比較的容易かつ短時間で出入口Ａを閉鎖する作業を行い得るものである。したがって、集中豪雨の発生後、直ぐに作業開始して出入口Ａを閉鎖することにより、短時間で急速に発生する水の過多な侵入を抑止することができる。
【００５７】
さらに、上述したように止水シート１０が閉鎖された状態から出入口Ａを開放された状態に戻す作業は、フック１１を係止杆１６から外し、ゼンマイバネ５７の付勢力に従って止水シート１０をシート保管筒柱２０内に巻回保持する。そして、所定の操作キー（図示省略）をキー溝３５に差し込んで回動操作することにより、施錠片２６を傾斜位置から垂下位置へ傾動し、該施錠片２６と施錠孔との係合状態を解除する。取手を用いて、シート筒体２を回動して、係止突片２４，２４を連係溝部９０，９０から案内溝路８９，８９へ移動させることにより、シート筒体２を降下可能として、収納筒体３内に収納する収納位置へ降ろす。こうして、平時の状態に戻す作業が終了する。
【００５８】
このように、止水装置１は、出入口Ａの閉鎖作業及び開放作業のいずれも、比較的容易かつ短時間で行い得るものである。さらに、これら作業に従事する作業者も一人で充分である。このため、止水装置１の閉鎖作業を開始する時期の判断も容易である。これは、例え、出入口Ａから浸水するような水が発生しなかったとしても、直ぐに出入口Ａを開放できるためであり、かつ閉鎖作業と開放作業を行う煩わしさがほとんどないためである。この煩わしさを生じないことが、作業者の心理に大きく作用して、集中豪雨や大雨の発生予報に従って早期に対応できることとなる。したがって、水害の抑止を最優先して、水が多大に流入し始める前に出入口Ａを閉鎖でき、浸水を確実に防ぐことが可能となる。
【００５９】
上述した本実施例にあっては、水の急激な流入を防ぐ作用を向上させるために、側壁Ｃ，Ｄにそれぞれ壁溝７，８を形成した構成であるが、同様の作用を発揮するように、側壁Ｃ，Ｄから夫々内側に突出する突出壁を形成し、該突出壁の屋内側にシート筒体や係合保持部材を配設する構成とすることもできる。また、別構成として、例えば、側壁Ｃに開閉する扉が配設され、該扉を閉じることによって扉先端部がシート筒体２のシート保管筒柱２０の外周面と当接とする。これにより、扉を閉じれば、シート筒体２と側壁Ｃの隙間を閉じることとなり、水の流入を防ぐ作用が一層高まる。尚、この扉は、開放された状態で、側壁Ｃの壁面に収容される構成とすることが好適である。
【００６０】
本発明は、上述した実施例に限定されるものではなく、本発明の要旨の範囲内で適宜用いることができる。上記した止水シート１０にあっても、上述した構成だけでなく様々な材料構成のものを用いることができる。例えば、樹脂製のシートに、比較的短い幅の薄厚金属板を上下方向に所定間隔で配設した構成として、一層高い剛性を発揮し得るものとすることも可能である。
【図面の簡単な説明】
【００６１】
【図１】本発明の止水装置１のシート筒体２が収納筒体３に収容された収納位置に在る状態を表す正面図である。
【図２】本発明の止水装置１のシート筒体２が立設位置に在る状態を表す正面図である。
【図３】（ａ）止水装置１の、シート筒体２が収納筒体３に収容された状態と、（ｂ）止水シート１０が出入口Ａを閉鎖した状態とを表す出入口Ａの斜視図である。
【図４】シート筒体２が立設位置に在る場合の、前後方向の縦断面図である。
【図５】立設位置に在るシート筒体２の下部を表す横方向の縦断面図である。
【図６】シート筒体２の横断面図である。
【図７】収納筒体３の開口筒体８１の縦断面図である。
【図８】（ａ）フック１１が係止杆１６に係合されていない状態と、（ｂ）フック１１が係止杆１６に係合された状態とを表す後方斜視図である。
【符号の説明】
【００６２】
１  止水装置
２  シート筒体
３  収納筒体
９  支持板（係合保持部材）
１０  止水シート
１１  フック
１６  係止杆（係合保持部材）
２０  シート保管筒柱
４７  シート引出口
Ａ  出入口
Ｂ  床面
Ｃ，Ｄ  側壁
【図１】
2007231574.tif 000003
【図２】
2007231574.tif 000004
【図３】
2007231574.tif 000005
【図４】
2007231574.tif 000006
【図５】
2007231574.tif 000007
【図６】
2007231574.tif 000008
【図７】
2007231574.tif 000009
【図８】
2007231574.tif 000010